(57)【要約】【課題】音の高低に応じてサイズが異なる音符により表記される楽譜を、簡易に作成することを目的とする。【解決手段】各音階ごとに符頭のイメージサイズが異なる擬似音符により表記される楽譜を作成する装置であって、上記符頭を構成するオリジナルイメージを記憶する符頭記憶手段と、上記オリジナルイメージに基づいて、各音階ごとにイメージサイズが異なる符頭を生成する符頭生成手段と、上記符頭と当該符頭を配置する位置の指定入力要求を受け付ける入力要求処理手段と、上記受け付けた指定入力要求に応じて、上記指定入力要求された符頭を指定された位置に表示する表示手段と、を有することを特徴とする楽譜作成装置を提供する。【選択図】図１４
2008275860.tif 000002
【特許請求の範囲】
【請求項１】
各音階ごとに符頭のイメージサイズが異なる擬似音符により表記される楽譜を作成する装置であって、
上記符頭を構成するオリジナルイメージを記憶する符頭記憶手段と、
上記オリジナルイメージに基づいて、各音階ごとにイメージサイズが異なる符頭を生成する符頭生成手段と、
上記符頭と当該符頭を配置する位置の指定入力要求を受け付ける入力要求処理手段と、
上記受け付けた指定入力要求に応じて、上記指定入力要求された符頭を指定された位置に表示する表示手段と、を有する、
ことを特徴とする楽譜作成装置。
【請求項２】
上記入力要求処理手段は、上記符頭の指定入力要求を受け付け、
上記表示手段は、上記受け付けた指定入力要求に応じて、上記符頭を指定入力要求された順番に表示する、
請求項１記載の楽譜作成装置。
【請求項３】
上記符頭のイメージサイズは、音の高低に応じて比例的に大きく又は小さくなるものとして構成されている、
請求項１又は２記載の楽譜作成装置。
【請求項４】
上記符頭のイメージサイズは、更に、最も高い音又は最も低い音のイメージサイズが１２を基数とした数値により構成されている、
請求項３記載の楽譜作成装置。
【請求項５】
上記符頭記憶手段は、各音階の符頭と、当該符頭に割り当てられる音階の音階名とを関連付けて記憶し、
上記表示手段は、上記入力受付時に、上記符頭記憶手段を参照して、上記指定入力要求された符頭と関連付けて記憶されている音階名を表示する、
請求項１乃至４いずれかの項に記載の楽譜作成装置。
【請求項６】
符頭を構成するオリジナルイメージを記憶する符頭記憶手段を有するコンピュータにより、各音階ごとに符頭のイメージサイズが異なる擬似音符により表記される楽譜を作成する方法であって、
上記コンピュータが、
上記オリジナルイメージに基づいて、各音階ごとにイメージサイズが異なる符頭を生成する処理と、
上記符頭と当該符頭を配置する位置の指定入力要求を受け付ける処理と、
上記受け付けた指定入力要求に応じて、上記指定入力要求された符頭を指定された位置に表示する処理と、を有する、
ことを特徴とする楽譜作成方法。
【請求項７】
符頭を構成するオリジナルイメージを記憶する符頭記憶手段を有するコンピュータを、各音階ごとに符頭のイメージサイズが異なる擬似音符により表記される楽譜を作成する楽譜作成装置として機能させるためのコンピュータプログラムであって、
上記コンピュータに対して、
上記オリジナルイメージに基づいて、各音階ごとにイメージサイズが異なる符頭を生成する処理と、
上記符頭と当該符頭を配置する位置の指定入力要求を受け付ける処理と、
上記受け付けた指定入力要求に応じて、上記指定入力要求された符頭を指定された位置に表示する処理と、
を実行させるコンピュータプログラム。
【発明の詳細な説明】
【技術分野】
【０００１】
本発明は、コンピュータにより楽譜を作成する技術であって、詳しくは、音階を音符のイメージサイズにより表現される楽譜を画面上において作成するのに適した技術に関する。
【背景技術】
【０００２】
従来、楽譜を作成するために、コンピュータを用いて簡易に楽譜を作成する技術が広く知られている。
このような技術として、例えば、特許文献１〜４に係るものが提案されている。
即ち、特許文献１記載の楽譜入力方法は、ディスプレイ上に表示された五線譜上の所望の位置にカーソルを合わせて、ポインティングデバイスに備えられたボタンが押されると、ボタンが押されたときのカーソル位置に対応した音の高さの音符がディスプレイに表示されると共に、ポインティングデバイスのボタンが押されていた時間に応じた長さの音符が順次ディスプレイ上に表示されるものである。
また、特許文献２記載の音符入力装置は、ディスプレイ上に五線譜を表示し、マウスによる画面操作に基づき、マウスが指定した音符の種類及び音符の五線譜上の位置を取得して、入力音符を表示するための付加情報を生成した上、付加情報に基づいて当該音符を五線譜上に再表示させるものである。
また、特許文献３記載の楽譜作成装置は、自動編集プログラムに従い、ポインティングデバイスにより指定された位置に音楽記号を展開し、更に、展開された音楽記号のイメージデータを五線譜のイメージデータと合成して表示するものである。
また、特許文献４記載の音楽情報入力方法は、制御手段によって、表示手段に五線譜を表示し、この表示した五線譜上における手書き操作子の位置により音高を決定するとともに、前記手書き操作子の操作による押圧回数によって音長を決定し、この決定した音高と音長とに対応する音符を前記五線譜上に表示するものである。
【０００３】
【特許文献１】特開平５−２２４６７１号公報
【特許文献２】特開平１１−３２７５４４号公報
【特許文献３】特開２００７−７９１２４号公報
【特許文献４】特許第３４５５７５３号公報
【発明の開示】
【発明が解決しようとする課題】
【０００４】
上記特許文献１〜４記載の技術によれば、コンピュータ上において容易に楽譜を作成することができるが、いずれの技術においても、楽曲を記すのには五線譜を前提としている。
【０００５】
一方、本願出願人は本願において、五線譜とは異なり、線のないブランク状態の譜面に、音符等の演奏記号のみを配した楽譜と共に、当該楽譜を作成する技術を提案する。この楽譜は、音の高低に応じて音符のサイズを変えることで、音の高低を直感的に認識させるものである。
【０００６】
したがって、本願発明により作成せんとする楽譜は、水平に並べられた５本の線と、当該５本の線の間とに音符を配することによって音の高低を表す五線譜とは全く異なるものであるため、上記特許文献１〜４記載の技術を単に応用するのみでは当該楽譜を作成することはできず、これに適した技術もいまだいずれの文献等においても開示されていない。
そこで、本発明は、音の高低に応じてサイズが異なる擬似音符により表記される楽譜を、簡易に作成することを目的とする。
【課題を解決するための手段】
【０００７】
上記目的を達成するため、本発明の一の観点に係る楽譜作成装置は、各音階ごとに符頭のイメージサイズが異なる擬似音符により表記される楽譜を作成する装置であって、上記符頭を構成するオリジナルイメージを記憶する符頭記憶手段と、上記オリジナルイメージに基づいて、各音階ごとにイメージサイズが異なる符頭を生成する符頭生成手段と、上記符頭と当該符頭を配置する位置の指定入力要求を受け付ける入力要求処理手段と、上記受け付けた指定入力要求に応じて、上記指定入力要求された符頭を指定された位置に表示する表示手段と、を有することを特徴とする。
【０００８】
また、上記入力要求処理手段は、上記符頭の指定入力要求を受け付け、上記表示手段は、上記受け付けた指定入力要求に応じて、上記符頭を指定入力要求された順番に表示するものとしてもよい。
【０００９】
また、上記符頭のイメージサイズは、音の高低に応じて比例的に大きく又は小さくなるものとして構成されているものとしてもよい。
【００１０】
また、上記符頭のイメージサイズは、更に、最も高い音又は最も低い音のイメージサイズが１２を基数とした数値により構成されているものとしてもよい。
【００１１】
また、上記符頭記憶手段は、各音階の符頭と、当該符頭に割り当てられる音階の音階名とを関連付けて記憶し、上記表示手段は、上記入力受付時に、上記符頭記憶手段を参照して、上記指定入力要求された符頭と関連付けて記憶されている音階名を表示するものとしてもよい。
【００１２】
また、本発明の別の観点に係る楽譜作成方法は、符頭を構成するオリジナルイメージを記憶する符頭記憶手段を有するコンピュータにより、各音階ごとに符頭のイメージサイズが異なる擬似音符により表記される楽譜を作成する方法であって、上記コンピュータが、上記オリジナルイメージに基づいて、各音階ごとにイメージサイズが異なる符頭を生成する処理と、上記符頭と当該符頭を配置する位置の指定入力要求を受け付ける処理と、上記受け付けた指定入力要求に応じて、上記指定入力要求された符頭を指定された位置に表示する処理と、を有することを特徴とする。
【００１３】
また、本発明の更に別の観点に係るコンピュータプログラムは、符頭を構成するオリジナルイメージを記憶する符頭記憶手段を有するコンピュータを、各音階ごとに符頭のイメージサイズが異なる擬似音符により表記される楽譜を作成する楽譜作成装置として機能させるためのコンピュータプログラムであって、上記コンピュータに対して、上記オリジナルイメージに基づいて、各音階ごとにイメージサイズが異なる符頭を生成する処理と、上記符頭と当該符頭を配置する位置の指定入力要求を受け付ける処理と、上記受け付けた指定入力要求に応じて、上記指定入力要求された符頭を指定された位置に表示する処理とを実行させる。
【発明の効果】
【００１４】
本発明によれば、オリジナルイメージに基づいて、各音階ごとにイメージサイズが異なる符頭が自動的に生成され、当該符頭の指定入力を要求するだけで、当該符頭を基に構成される擬似音符により表記される楽譜を簡易に作成することができる。
【発明を実施するための最良の形態】
【００１５】
次に、本発明の第一の実施形態について図を参照して説明する。
図１は、第一の実施形態に係る楽譜作成装置１が備える機能を示した機能ブロック図である。
楽譜作成装置１は、ユーザに操作に応じて、所定の位置に符頭や演奏記号を配置し、楽譜を作成する装置である。この楽譜作成装置１は、ＣＰＵ（Ｃｅｎｔｒａｌ  Ｐｒｏｃｅｓｓｉｎｇ  Ｕｎｉｔ）、ＣＰＵが実行するコンピュータプログラム、コンピュータプログラムや所定のデータを記憶するＲＡＭ（Ｒａｎｄｏｍ  Ａｃｃｅｓｓ  Ｍｅｍｏｒｙ）、及びハードディスクドライブなどの外部記憶装置により、演奏記号情報記憶部１１、設定情報記憶部１２、符頭生成処理部１３、入力要求処理部１４、入力部１５、出力部１６からなる機能ブロックを構成することができる。
【００１６】
ここで、擬似音符とは、符頭が所定の画像イメージにより構成され、各音階ごとにそのイメージサイズが異なるものであって、当該符頭に符鈎や連鈎等が付けられたものである。
なお、本例においては、符頭のイメージサイズが各音階ごとに異なるものとしているが、音符自体のイメージサイズを各音階ごとに異なるものとしてもよい。
【００１７】
擬似音符の一例を図２に示す。即ち、（ａ）は四分音符を、（ｂ）は（ａ）に係る四分音符より符頭のイメージサイズが小さい四分音符を、（ｃ）は八分音符を、（ｄ）は全音符を、（ｅ）は十六音符の連続を示している。いずれも符頭のイメージサイズにより音の高低を表している。符頭のイメージサイズの大小と音の高低とは任意に対応させることができ、符頭のイメージサイズが大きいほど音が高いものとすることもできるし、逆に、符頭のイメージサイズが大きいほど音が低いものとすることもできる。例えば、符頭のイメージサイズが大きいほど、低音であるものとすれば、（ａ）に係る擬似音符は（ｂ）に係る擬似音符より低音ということになる。
【００１８】
また、音階については、符頭ないしは擬似音符の近傍に音階名を表示する。即ち、図２の（ａ）、（ｂ）、（ｃ）、（ｄ）、（ｅ）において、各擬似音符の下部に表示されているカタカナが、当該擬似音符の音階を表している。なお、音階名の表示は、擬似音符ごとに音階名を認識させることができればよいのであって、符頭の中に音階名を表示させるなどの表示方法もとることができ、本例の表示方法には限られない。また、音階名については、「ド・レ・ミ・ファ・ソ・ラ・シ・ド」からなる「イタリア語カタカナ」表記に限らず、「Ｃ・Ｄ・Ｅ・Ｆ・Ｇ・Ａ・Ｂ・Ｃ」からなる「英語」表記など、各種の表記方法によることができる。また、詳細は後述するが、所定のイメージサイズからなる符頭ないしは擬似音符に対応付けられる音階は、任意に設定することができる。
【００１９】
演奏記号情報記憶部１１は、楽譜上に表記される符頭や休符等、楽譜を構成する演奏記号、及び音階名に関する情報を記憶する記憶部である。この演奏記号情報記憶部１１には、例えば、図３に示すように、擬似音符を構成する符頭３１や符尾・符鈎３２、休符３３、シャープ、フラット、ナチュラルなどの臨時記号３４等に加え、音階名３５が記憶されている。符頭３１のイメージは、通常の音符に用いられる楕円形状の符頭である必要はなく、真円３１ａや球体３１ｂのほか、所定の図柄３１ｃにより構成することができる。
なお、擬似音符を構成する符頭３１は、音階ごとにイメージサイズの異なるものが用いられるところ、演奏記号情報記憶部１１に記憶されている符頭３１は、そのオリジナルイメージであって、符頭生成処理部１３によって当該オリジナルイメージが拡大ないしは縮小されて異なるイメージサイズの符頭が生成される。
また、音階名３５においては、臨時記号３４に対応した音階名を記憶させるようにしてもよい。
【００２０】
設定情報記憶部１２は、楽譜を作成する際に用いられる演奏記号等に関する情報であって、ユーザの任意により設定される情報を記憶することができる記憶部である。この設定情報記憶部１２には、図４に示すように、擬似音符の符頭のイメージサイズの数値に適用する単位４１、擬似音符の符頭のイメージサイズの数値の上限値４２、擬似音符の符頭のイメージサイズの数値の下限値４３、符頭のタイプ４４、符頭ないしは擬似音符の表示に際して表記される音階の音階名４５、所定の音階と擬似音符のイメージサイズとの対応付けを表すマッチング４６、作成した楽譜の背景に用いる背景画像４７を記憶することができる。
【００２１】
単位４１としては、ピクセル、ｃｍ、ｍのほか、ｃｍ３やｍ３等を用いることができる。なお、これらの単位は、符頭の画素数、符頭が円で表される場合の直径ないしは半径、符頭が球で表される場合の体積に対するものとして適用される。
上限値４２及び下限値４３とは、使用する音階の最低音と最高音とに割り当てられる符頭のイメージサイズの値である。
符頭のタイプ４４は、四分音符や八分音符など、通常、符頭が黒塗り楕円形状からなる音符の符頭に替わる黒音符４４ａ、全音符や二分音符など、通常、符頭が白抜き楕円形状からなる音符の符頭に替わる白音符４４ｂにおいて使用される符頭のタイプの設定を記憶することができる。
マッチング４６は、符頭のどのイメージサイズに対して、どの音階を割り当てるかを表すもので、音階４６ａと、これに割り当てられるイメージサイズ４６ｂとを関連付けて記憶することができる。詳細については、符頭生成処理部１３の説明において詳述するが、このマッチング４６に基づいて、各音階に対応する擬似音符の符頭のイメージサイズが決定される。
背景画像４７としては、ＪＰＥＧ（Ｊｏｉｎｔ  Ｐｈｏｔｏｇｒａｐｈｉｃ  Ｅｘｐｅｒｔｓ  Ｇｒｏｕｐ）やＧＩＦ（Ｇｒａｐｈｉｃ  Ｉｎｔｅｒｃｈａｎｇｅ  Ｆｏｒｍａｔ）等の形式による各種静止画像のほか、ＭＰＥＧ（Ｍｏｖｉｎｇ  Ｐｉｃｔｕｒｅ  Ｅｘｐｅｒｔｓ  Ｇｒｏｕｐ）等の形式による動画像を用いることができ、指定はユーザの任意である。
【００２２】
符頭生成処理部１３は、設定情報記憶部１２を参照して、各音階ごとにイメージサイズの異なる符頭を生成する処理を実行する。なお、本例においては、符頭のイメージサイズが大きいほど、当該符頭により構成される擬似音符の音階は低くなるように設定されている場合を説明する。
符頭生成処理は、符頭タイプ４４に基づき、使用する符頭のイメージを読み込み、単位４１、上限値４２、及び下限値４３に基づいて、イメージサイズの異なる符頭を生成する。そして、マッチング４６に基づき、各符頭に音階を割り当てる。
【００２３】
本例においては、イメージサイズの数値として、「１２」、「１３」、「１４」・・・「２３」、「２４」、「２６」、「２８」・・・「４６」、「４８」、「５２」、「５６」・・・「９２」、「９６」、「１０４」、「１１２」・・・「１８４」、「１９２」が用意されている。１オクターブには、１オクターブの起点を含めず、１２音の段階があるので、最初の数値群レベル（「１２」〜「２４」まで）は階差を１として、次の数値群レベル（「２４」〜「４８」まで）は階差を２として、次の数値群レベル（「４８」〜「９６」まで）は階差を４として、更に次の１２個の数値群レベル（「９６」〜「１９２」まで）は階差を８としたものを任意に選択可能に用意している。これにより、階差が等しい数値群のうちの最初の数値に主音を割り当てれば、１オクターブごとにイメージサイズが倍となって、１オクターブごとの差を明瞭にすることができ好適である。ただし、主音をどの数値に割り当てるかはユーザの任意である。
また、本例においては、イメージサイズの数値として、上記の通りの数値を用意しているが、本発明の実施においては、これに限るものではなく、異なる数値を用意できればよい。
【００２４】
ここで、本例における符頭生成処理の一例について、図４に示すように、単位として「ピクセル」、上限値４２が１９２、下限値４３が４８、符頭タイプ４４として黒音符４４a、白音符４４ｂ共に真円タイプ、音階名４５としてイタリア語カタカナ、マッチング４６として主音である「ド」の音階のイメージサイズを「１９２」とする設定がなされた場合を説明する。
符頭生成処理部１３は、まず、符頭タイプ４４に基づき、使用する符頭のオリジナルデータを演奏記号情報記憶部１１から読み込む。そして、単位４１、上限値４２、及び下限値４３に基づき、上記読み込んだ符頭のオリジナルデータを拡大ないしは縮小して、「４８ピクセル」（以下、単位省略）、「５２」、「５６」・・・「９２」、「９６」、「１０４」、「１１２」・・・「１８４」、「１９２」のイメージサイズからなる符頭を生成する。次に、音階名４５及びマッチング４６に基づき、「１９２」の符頭に音階「ド」を対応付け、順次、「１８４」の符頭に「ド＃（又はレ♭）」、「１７６」の符頭に「レ」と対応付けていき、最終的に「４８」に「ド」を対応付けて、音階名の対応付けが完了する。
これにより、音階が対応付けられた、所定の音階の数に相当する符頭が用意される。
なお、符頭への音階名の対応付けにおいては、ナチュラル、ダブルシャープ、ダブルフラット等も対応付けることができる。
【００２５】
入力要求処理部１４は、符頭生成処理部１３により生成された符頭、及び演奏記号情報記憶部１１に記憶されている演奏記号をユーザに対して選択可能に提示すると共に、ユーザによる符頭及び演奏記号の選択操作に基づいて、楽譜上に配置される符頭及び演奏記号に係る情報を、配置する位置情報と共に入力要求として受け付け、受け付けた入力要求に係る情報を出力部１６に渡す処理を実行する。
【００２６】
入力部１５は、設定情報の入力や楽譜作成における演奏記号の入力等において、ユーザの入力要求を受け付ける処理を実行するものであって、マウスやトラックパッドといったポインティングデバイスや、キーボード等により実現される。
【００２７】
出力部１６は、入力要求処理部１４により受け付けられた符頭及び演奏記号に係る情報、及び当該符頭及び演奏記号を配置する位置に係る情報に基づき、当該符頭及び演奏記号を所定の位置に配置した楽譜を表示する処理を実行するものであって、ＣＲＴや液晶などの各種ディスプレイ等により実現される。
【００２８】
続いて、第一の実施形態に係る楽譜作成装置１により楽譜を作成する場合の一連の処理の流れについて説明する。
はじめに、ユーザは楽譜作成に必要な設定情報を入力し、楽譜作成装置１はこれを受け付けて設定情報記憶部１２に記憶する。当該処理の一連の流れを図５に示す。
まず、擬似音符を構成する符頭のイメージサイズ単位情報の入力を受け付ける（Ｓ１０１）。
イメージサイズ単位情報の入力は、例えば、図６に示す出力画面６０上から受け付ける。即ち、出力画面６０上には、擬似音符の符頭に対して各音階ごとに割り当て可能なイメージサイズ一覧６１、当該イメージサイズに適用する単位６２をチェックすることにより単位を指定可能な単位指定欄６２、指定した単位に関する情報の入力受付を要求する「ＯＫ」ボタン６３からなる。
このイメージサイズ一覧６１には、各行ごとに、１オクターブ分の各音階のイメージサイズが表示されている。
【００２９】
ユーザは、出力画面６０上から、単位指定欄６２において所望の単位にチェックを入れて「ＯＫ」ボタンを押下することにより、上記単位情報の受付を楽譜作成装置１に要求する。
これに応じて、楽譜作成装置１は、ユーザが指定した単位情報を設定情報記憶部１２に記憶する。
【００３０】
次に、イメージサイズの上限値及び下限値に係る情報の入力を受け付ける（Ｓ１０２）。
イメージサイズの上限値及び下限値に係る情報の入力は、例えば、図７に示す出力画面７０上から受け付ける。即ち、出力画面７０上には、各音階に割り当てられる擬似音符の符頭のイメージサイズ一覧７１、使用される音階の最低音に割り当てられる擬似音符の符頭のイメージサイズである上限値を入力する上限値入力欄７２、同様に、使用される音階の最高音に割り当てられる擬似音符の符頭のイメージサイズである下限値を入力する下限値入力欄７３、上限値入力欄７２及び下限値入力欄７３に入力した値の受付を楽譜作成装置１に対して要求する「ＯＫ」ボタン７４からなる。
【００３１】
ユーザは、出力画面７０上から、上限値入力欄７２及び下限値入力欄７３に所望の値を入力して、「ＯＫ」ボタン７４を押下することにより、上限値及び下限値に係る情報の受付を楽譜作成装置１に要求する。
これに応じて、楽譜作成装置１は、上記上限値及び下限値に係る情報を設定情報記憶部１２に記憶する。
【００３２】
次に、使用する符頭のタイプの選択情報の入力を受け付ける（Ｓ１０３）。
符頭のタイプの選択は、四分音符や八分音符など、通常、符頭が黒塗り楕円形状からなる音符の符頭に替わる黒音符系の符頭と、全音符や二分音符など、通常、符頭が白抜き楕円形状からなる音符の符頭に替わる白音符系の符頭とを選択するものである。
この符頭のタイプの選択情報の入力受付は、例えば、図８に示す出力画面８０上から受け付ける。即ち、出力画面８０は、黒音符系の符頭のタイプを選択する黒音符系符頭一覧８１、白音符系の符頭のタイプを選択する白音符系符頭一覧８２、及び黒音符系符頭一覧８１と白音符系符頭一覧８２において選択した符頭のタイプの選択情報の受付を楽譜作成装置１に対して要求する「ＯＫ」ボタン８３からなる。
【００３３】
なお、黒音符系符頭一覧８１には、真円タイプ８１ａ、球体タイプ８１ｂ、真円におさまる図柄タイプ８１ｃ、球体におさまる図柄タイプ８１ｄがあり、白音符系符頭一覧８２にも同様に、真円タイプ８２ａ、球体タイプ８２ｂ、真円におさまる図柄タイプ８２ｃ、球体におさまる図柄タイプ８２ｄがある。図柄タイプ８１ｃ、８１ｄ、８２ｃ、８２ｄの図柄は、例えば、楽譜作成装置１が記憶する図柄をユーザにより選択可能に提示した上、ユーザによる選択を受け付けてもよいし、また、ユーザが保持する記憶媒体等から図柄のイメージデータを読み込んで、ユーザの任意による図柄を指定可能に受け付けてもよく、この場合には、所定の入力画面上より、図柄が保存されている記憶媒体ないしは記憶領域を参照して読み込むことで受け付けることができる。
【００３４】
ユーザは、黒音符系符頭一覧８１及び白音符系符頭一覧８２において、各々いずれか一の符頭タイプをチェックすることにより選択した上、「ＯＫ」ボタン８３を押下することにより、当該選択情報の受付を楽譜作成装置１に要求する。
これに応じて、楽譜作成装置１は、上記符頭タイプの選択情報を設定情報記憶部１２に記憶する。
【００３５】
次に、使用する音階の種類の選択情報の入力を受け付ける（Ｓ１０４）。
この音階の種類の選択情報の入力受付は、例えば、図９に示す出力画面９０上から受け付ける。即ち、出力画面９０は、音階の種類が列記され、チェックボックスにより各音階が選択可能に提示された音階一覧９１、選択した情報の受付を楽譜作成装置１に対して要求する「ＯＫ」ボタン９２からなる。
音階の種類は、本例においては、イタリア語カタカナ、日本語カタカナ、英語、ドイツ語を列記しているが、これに限るものではなく、他の種類の音階を選択可能に提示することができる。
【００３６】
ユーザは、音階一覧９１において、いずれか一の種類の音階をチェックすることにより選択した上、「ＯＫ」ボタン９２を押下することにより、当該選択情報の受付を楽譜作成装置１に要求する。
これに応じて、楽譜作成装置１は、上記音階の選択情報を設定情報記憶部１２に記憶する。
【００３７】
次に、使用する符頭タイプと音階のマッチング情報の入力を受け付ける（Ｓ１０５）。
マッチング情報とは、それぞれイメージサイズが異なる符頭にどの音階が割り当てられるかを示す情報であり、ユーザが一の符頭に一の音階を指定すると、楽譜作成装置１は、これを基準にして他の符頭に音階を設定する。
このマッチング情報の入力受付は、例えば、図１０に示す出力画面１００上から受け付ける。即ち、出力画面１００は、Ｓ１０１において受け付けた単位情報、Ｓ１０２において受け付けたイメージサイズの上限値及び下限値に基づき、符頭生成処理部１３により生成された符頭を表示する符頭表示１０１、マッチングさせる音階と符頭のイメージサイズを入力するための音階入力欄１０２、イメージサイズ入力欄１０３、及び音階入力欄１０２とイメージサイズ入力欄１０３に入力した情報の受付を楽譜作成装置１に対して要求する「ＯＫ」ボタン１０４からなる。
【００３８】
ユーザは、音階入力欄１０２及びイメージサイズ入力欄１０３に、所望の音階及びイメージサイズを入力した上、「ＯＫ」ボタン１０４を押下することにより、当該入力されたマッチング情報の受付を楽譜作成装置１に対して要求する。
これに応じて、楽譜作成装置１は、上記マッチング情報を設定情報記憶部１２に記憶する。
【００３９】
また、ユーザは、任意により楽譜の背景に所望の背景画像を用いることができ、図示しない所定の入力画面上から、設定情報として背景画像の受付を楽譜作成装置１に対して要求することができ、これに応じて、楽譜作成装置１は背景画像を設定情報記憶部１２に記憶する。
【００４０】
楽譜作成装置１は、以上の設定情報を受け付けると、当該設定情報の確認を行う（Ｓ１０６）。
この設定情報の確認は、例えば、図１１に示す出力画面１１０上から受け付ける。この出力画面１１０は、設定情報に基づき作成された符頭表示１１１、各符頭に対応付けられている音階表示１１２、各符頭のイメージサイズ表示１１３、受け付けられている設定情報の確定を楽譜作成装置１に対して要求する「ＯＫ」ボタン１１４からなる。
【００４１】
表示される符頭及び音階名は、符頭生成処理部１３により、設定情報に基づいて生成されたものである。
符頭生成処理は、まず、符頭タイプ４４に基づき、使用する符頭のオリジナルデータ２が演奏記号情報記憶部１１から読み込まれ、単位４１、上限値４２、及び下限値４３に基づき、上記読み込まれた符頭のオリジナルデータを拡大ないしは縮小して、各イメージサイズからなる符頭が生成され、音階名４５及びマッチング４６に基づき、各符頭に対して順次、音階が対応付けられる。なお、詳細は後述する。
更に、この出力画面１１０においては、イメージサイズの確認を容易にするため、マッチング４６に基づいて、所定の符頭ごとにそのイメージサイズが表示されている。
なお、設定情報の確認において、背景画像が指定されている場合には、当該背景画像を画面上に展開するなどして確認可能に表示するとよい。
【００４２】
ユーザは、出力画面１１０に表示されている情報を確認し、問題がなければ「ＯＫ」ボタン１１４を押下して、設定情報の確定を楽譜作成装置１に対して要求する。
これにより、設定情報が確定する。
【００４３】
続いて、上記の通りユーザから受け付けた設定情報に基づき、符頭生成処理部１３により実行される符頭作成処理を図１２に示す処理フローにより説明する。
まず、設定情報記憶部１２を参照し、設定情報において符頭タイプとして指定されている符頭のオリジナルイメージを演奏記号情報記憶部１１から読み込む（Ｓ２０１）。即ち、既述した設定情報の例（単位：ピクセル、上限値：１９２、下限値４８、黒音符系：真円タイプ、白音符系：真円タイプ、音階：イタリア語カタカナ、マッチング：音階「ド」の音を１９２とマッチさせる）では、黒音符系、白音符系共に真円タイプの符頭のオリジナルイメージを演奏記号情報記憶部１１から読み込む。
【００４４】
次に、単位、イメージサイズの上限値及び下限値に基づいて、オリジナルイメージの符頭を拡大ないしは縮小し、上限値から下限値までのイメージサイズの符頭を生成する（Ｓ２０２）。上述の設定情報の例では、「４８ピクセル」（以下、単位省略）、「５２」、「５６」・・・「９２」、「９６」、「１０４」、「１１２」・・・「１８４」、「１９２」のイメージサイズからなる符頭を生成する。
【００４５】
そして、マッチング情報に基づき、基準となる符頭に所定の音階を対応付ける（Ｓ２０３）。上述の設定情報の例では、イメージサイズが「１９２」の符頭にイタリア語カタカナの音階名である音階「ド」を対応付ける。
【００４６】
基準となる符頭に所定の音階を対応付けると、当該符頭より大きいイメージサイズの符頭に対しては順次、基準となる音階よりも低い音階を対応付け、当該符頭より小さいイメージサイズの符頭に対しては順次、基準となる音階よりも高い音階を対応付けていくことにより、全ての符頭に対して音階を対応付ける（Ｓ２０４）。上述の設定情報の例では、音階「ド」が対応付けられたイメージサイズ「１９２」の符頭を基準に、順次、「１８４」の符頭に「ド＃（又はレ♭）」、「１７６」の符頭に「レ」と、イタリア語カタカナの音階名を対応付けていき、最終的に「４８」に「ド」を対応付ける。
以上により、全ての符頭の生成と音階の対応付けが完了し、符頭作成処理は終了する。
【００４７】
続いて、ユーザによる操作の下、楽譜作成装置１により楽譜が作成される処理の流れを、図１３に示す処理フローを参照して説明する。
楽譜の作成は、図１４の例により示す出力画面１３０上において行われる。
即ち、出力画面１３０上には、ユーザの操作に基づいて楽譜を作成するスペースである楽譜作成スペース１３１、楽譜に入力する符頭を選択可能に表示した符頭表示１３２、符頭以外の演奏記号の入力を要求するための記号選択表示１３３、作成された楽譜を所定のプリンタ等により紙媒体等に出力する処理の実行要求を行うための「印刷」ボタン１３４が設けられている。
【００４８】
なお、楽譜表示１３１においては、五線譜のように、音符等の演奏記号を記す譜面そのものがあるわけではなく、演奏記号の配列自体が楽譜を構成する。したがって、演奏記号を貼付可能な入力スペースが楽譜作成位置として用意されているに過ぎない。
また、符頭表示１３２は、符頭生成処理部１３により生成された符頭、及び当該符頭と対応付けられた音階が展開されたものである。
また、記号選択表示１３３には、符鈎や連鈎、フォルテｆやピアノｐといった強弱記号、スラー、標題などのテキスト、楽譜の背景画像などの図形描画等を入力ないしは変更するための機能項目が設けられており、この記号選択表示１３３において、符頭以外の演奏記号の入力要求を行うことができる。なお、図示していないが、臨時記号の入力や変更のための機能項目を設けることも可能であり、楽譜作成に要求される記号の入力や変更等に関する機能項目、表示手段にかかる設定等を、本発明が実施可能に構成される限り、各種の機能項目を設けることができる。
【００４９】
ユーザは、出力画面１３０上において、楽譜作成スペース１３１の任意の箇所に演奏記号の貼付要求を行う。当該演奏記号の貼付要求は、入力部１５により行われ、例えば、マウスによる操作の下、符頭表示１３２中の符頭、ないしは記号選択表示１３３中の演奏記号をポインティングしてドラッグし、楽譜作成スペース１３１の任意の箇所において当該指定した演奏記号をドロップすることにより、当該箇所に所定の演奏記号の貼付を要求する。その他の例として、キーボードにより、各演奏記号を任意のキーに割り当て、ポインタにより指定した箇所において所定のキーを押下することにより、当該箇所に所定の演奏記号の貼付を要求することもできる。
【００５０】
楽譜作成装置１の入力要求処理部１４は、ユーザによる上記演奏記号の貼付要求を受け付けると（Ｓ３０１）、貼付要求された演奏記号が符頭であるか否かを判断する（Ｓ３０２）。
【００５１】
この結果、貼付要求された演奏記号が符頭である場合には、出力部１６に対し、当該符頭と、当該符頭と対応付けられている音階名とを指定貼付位置に表示するよう命令する（Ｓ３０３）。
入力要求処理部１４からの命令に応じて、出力部１６は、楽譜作成スペース１３１の指定貼付位置に貼付要求された符頭を表示すると共に、当該符頭の近傍（本例では、演奏記号の直下）に音階名を表示する（Ｓ３０４）。
【００５２】
一方、Ｓ３０２の処理において、貼付要求された演奏記号が符頭でない場合には、貼付を要求された演奏記号を楽譜作成スペース１３１の指定貼付位置に貼付要求された演奏記号を表示するよう出力部１６に命令する（Ｓ３０５）。
これに応じて、出力部１６は、貼付を要求された演奏記号を指定貼付位置に表示する（Ｓ３０６）。
【００５３】
上記Ｓ３０１〜Ｓ３０６の処理により、一の演奏記号の入力が完了するところ、ユーザは全ての演奏記号の入力が完了するまで、楽譜作成装置１に対して上記入力処理を繰り返し要求する。
全ての演奏記号の入力が完了した時点で、楽譜作成は終了し、ユーザの任意により、「印刷」ボタン１３４が押下されると、作成された楽譜が、外部接続されたプリンタ等により所定の紙媒体等に印刷される。
なお、本例における演奏記号の貼付において、符頭に対して臨時記号が指定された場合には、符頭に対応付けられた音階名を表示した箇所においても、当該臨時記号情報を、当該音階名に近接させて表示するようにしてもよい。
これにより、各音階ごとに符頭のイメージサイズが異なる擬似音符が自動的に生成され、当該符頭の種類と配置に係る情報と共に入力を要求するだけで、当該符頭を基に構成される擬似音符により表記される楽譜を簡易に作成することができる。
また、以上の処理により作成される楽譜の一例は、図１５（ｂ）に示されるように、通常の五線譜による楽譜の一例（図１５（ａ）参照）と比べると、音の高低をダイレクトに視覚に訴え、直感的に音の高低を認識させるものである。
【００５４】
続いて、本発明の第二の実施形態に係る楽譜作成装置１について説明する。第二の実施形態は、楽譜の作成において、ユーザによる入力要求の順番に従って、演奏記号を入力するものである。
第二の実施形態に係る楽譜作成装置１は、既述した第一の実施形態に係る楽譜作成装置１と同様の機能ブロックを有しているが、入力要求処理部１４及び出力部１６による処理が第一の実施形態における場合と異なる。
【００５５】
入力要求処理部１４は、符頭生成処理部１３により生成された符頭、及び演奏記号情報記憶部１１に記憶されている演奏記号をユーザに対して選択可能に提示すると共に、ユーザによる符頭及び演奏記号の選択操作に基づいて、楽譜上に配置される符頭及び演奏記号に係る情報を入力要求として受け付け、受け付けた入力要求に係る情報を出力部１６に渡す処理を実行する。
【００５６】
出力部１６は、入力要求処理部１４により受け付けられた符頭及び演奏記号に係る情報に基づき、当該符頭及び演奏記号を受け付けた順番により配した楽譜を表示する処理を実行するものであって、ＣＲＴや液晶などの各種ディスプレイ等により実現される。
【００５７】
次に、第二の実施形態に係る楽譜作成装置１により楽譜が作成される処理の流れを図１６に示す処理フロー図により説明する。
楽譜の作成は、第一の実施形態と同様、図１４の例により示す出力画面１３０上において、入力部１５により行われる。
具体的な入力要求の一例は、例えば、マウスによる操作の下、符頭表示１３２中の符頭、ないしは記号選択表示１３３中の演奏記号をクリックすることにより行われる。また、その他の例として、キーボードにより、各演奏記号を任意のキーに割り当て、各演奏記号が割り当てられた所定のキーを押下することにより、当該演奏記号の入力要求を行うことができる。
【００５８】
楽譜作成装置１の入力要求処理部１４は、ユーザによる上記演奏記号の入力要求を受け付けると（Ｓ４０１）、入力要求された演奏記号が符頭であるか否かを判断する（Ｓ４０２）。
【００５９】
この結果、貼付要求された演奏記号が符頭である場合には、出力部１６に対し、当該符頭と、当該符頭と対応付けられている音階名とを、楽譜作成スペース１３１中において、直前に表示した演奏記号の次に表示するよう命令する（Ｓ４０３）。
直前に表示した演奏記号の次に表示するとは、例えば、ユーザによる入力要求に応じて表示した演奏記号の右隣に所定の間隔をもって配置して表示することを意味する。また、直前に表示した演奏記号がない場合、即ち、最初の入力要求においては、例えば、楽譜作成スペースの１３１の一番左端に配置する。
入力要求処理部１４からの命令に応じて、出力部１６は、楽譜作成スペース１３１において、直前に表示した演奏記号の次に、入力要求された符頭を表示すると共に、当該符頭の近傍（本例では、演奏記号の直下）に音階名を表示する（Ｓ４０４）。
【００６０】
一方、Ｓ４０２の処理において、入力要求された演奏記号が符頭でない場合には、入力を要求された演奏記号を楽譜作成スペース１３１において、直前に表示した演奏記号の次に、入力要求された演奏記号を表示するよう出力部１６に命令する（Ｓ４０５）。
これに応じて、出力部１６は、入力要求された演奏記号を、直前に表示した演奏記号の次に、入力要求された演奏記号を表示する（Ｓ４０６）。
【００６１】
上記Ｓ４０１〜Ｓ４０６の処理により、一の演奏記号の入力が完了するところ、ユーザは全ての演奏記号の入力が完了するまで、楽譜作成装置１に対して上記入力処理を繰り返し要求する。
全ての演奏記号の入力が完了した時点で、楽譜作成は終了し、ユーザの任意により、「印刷」ボタン１３４が押下されると、作成された楽譜が、外部接続されたプリンタ等により所定の紙媒体等に印刷される。
これにより、各音階ごとに符頭のイメージサイズが異なる擬似音符が自動的に生成され、当該符頭の指定入力を要求するだけで、当該符頭を基に構成される擬似音符により表記される楽譜を簡易に作成することができる。
【００６２】
最後に、上述に係る第一の実施形態ないしは第二の実施形態において、楽譜作成装置１により作成される楽譜の例を図１７により説明する。
図１７において、（ａ）は、図柄を用いた符頭の一例を示し、（ｂ）は、楽譜の背景に所定の画像を合成したものの一例を示している。いずれも、無機質な通常の五線譜による楽譜と異なり、楽曲のイメージを視覚的に表現することを可能にするものであり、楽譜の表現の幅をこれまでになく広げることができる。
【図面の簡単な説明】
【００６３】
【図１】本発明の実施形態に係る楽譜作成処理装置が備える機能を示す機能ブロック図である。
【図２】本実施形態において用いられる擬似音符の一例を示す図である。
【図３】本実施形態に係る演奏記号情報記憶部に記憶されるデータの一例を示した図である。
【図４】本実施形態に係る設定情報記憶部に記憶されるデータの一例を示した図である。
【図５】本実施形態において、設定情報が作成される流れを示した処理フロー図である。
【図６】本実施形態において、設定情報を構成する単位の入力を受け付ける出力画面の一例を示した図である。
【図７】本実施形態において、設定情報を構成する上限値及び下限値の入力を受け付ける出力画面の一例を示した図である。
【図８】本実施形態において、設定情報を構成する擬似音符の符頭タイプの入力を受け付ける出力画面の一例を示した図である。
【図９】本実施形態において、設定情報を構成する音階名の入力を受け付ける出力画面の一例を示した図である。
【図１０】本実施形態において、設定情報を構成するマッチング情報の入力を受け付ける出力画面の一例を示した図である。
【図１１】本実施形態において、入力された設定情報を確認する出力画面の一例を示した図である。
【図１２】本実施形態において、符頭生成処理部により符頭が生成される処理の流れを示した処理フロー図である。
【図１３】本実施形態に係る楽譜作成装置により楽譜が作成される一連の処理の流れを示した処理フロー図である。
【図１４】本実施形態に係る楽譜作成装置により、楽譜を作成する際の出力画面の一例を示した図である。
【図１５】（a）従来の五線譜による楽譜、（ｂ）本実施形態に係る楽譜作成装置により作成された楽譜を示した図である。
【図１６】本第二の実施形態に係る楽譜作成装置により楽譜が作成される一連の処理の流れを示した処理フロー図である。
【図１７】本実施形態に係る楽譜作成装置により作成された楽譜の一例であって、（ａ）は符頭が所定の図柄からなるもの、（ｂ）は背景画像が合成されたものを示した図である。
【符号の説明】
【００６４】
１      楽譜作成装置
１１    演奏記号情報記憶部
１２    設定情報記憶部
１３    符頭生成処理部
１４    入力要求処理部
１５    入力部
１６    出力部
【図１】
2008275860.tif 000003
【図２】
2008275860.tif 000004
【図３】
2008275860.tif 000005
【図４】
2008275860.tif 000006
【図５】
2008275860.tif 000007
【図６】
2008275860.tif 000008
【図７】
2008275860.tif 000009
【図８】
2008275860.tif 000010
【図９】
2008275860.tif 000011
【図１０】
2008275860.tif 000012
【図１１】
2008275860.tif 000013
【図１２】
2008275860.tif 000014
【図１３】
2008275860.tif 000015
【図１４】
2008275860.tif 000016
【図１５】
2008275860.tif 000017
【図１６】
2008275860.tif 000018
【図１７】
2008275860.tif 000019
【手続補正書】
【提出日】平成19年7月6日(2007.7.6)
【手続補正１】
【補正対象書類名】特許請求の範囲
【補正対象項目名】全文
【補正方法】変更
【補正の内容】
【特許請求の範囲】
【請求項１】
音高が符頭のイメージサイズのみによって表される擬似音符により表記される楽譜を作成する装置であって、
上記符頭を構成するオリジナルイメージを記憶する符頭記憶手段と、
少なくとも、第ｎオクターブが、初項を１２×２（ｎ−１）、階差を２（ｎ−１）、初項を含む項数を１２とする一群のイメージサイズにより構成される、ｎオクターブ分のイメージサイズ情報と、所定の音階と所定のイメージサイズとの対応付けを示す基準情報とを記憶する設定情報記憶手段と、
上記オリジナルイメージと上記イメージサイズ情報とに基づき、上記オリジナルイメージを、所定オクターブ分、上記イメージサイズに拡大乃至縮小して、所定オクターブ分のイメージサイズの符頭を生成する符頭生成手段と、
上記基準情報に基づき、上記生成した符頭のうちの所定のイメージサイズの符頭に対して、所定の音階を対応付けると共に、当該対応付けた所定のイメージサイズに係る符頭を基準として、予め設定された音の高低とイメージサイズの大小関係に基づき、他のイメージサイズの符頭に順次、音階を対応付けることにより、符頭に対する音階の対応付けを実行する音階対応付手段と、
上記符頭と当該符頭を配置する位置の指定入力要求を受け付ける入力要求処理手段と、
上記受け付けた指定入力要求に応じて、上記指定入力要求された符頭を当該符頭に対応付けられた音階の音階名と共に指定された位置に表示する表示手段と、を有する、
ことを特徴とする楽譜作成装置。
【請求項２】
上記入力要求処理手段は、上記符頭の指定入力要求を受け付け、
上記表示手段は、上記受け付けた指定入力要求に応じて、上記符頭を当該符頭に対応付けられた音階の音階名と共に指定入力要求された順番に表示する、
請求項１記載の楽譜作成装置。
【請求項３】
符頭を構成するオリジナルイメージを記憶する符頭記憶手段と、少なくとも、第ｎオクターブが、初項を１２×２（ｎ−１）、階差を２（ｎ−１）、初項を含む項数を１２とする一群のイメージサイズにより構成される、ｎオクターブ分のイメージサイズ情報と、所定の音階と所定のイメージサイズとの対応付けを示す基準情報とを記憶する設定情報記憶手段とを有するコンピュータにより、音高が符頭のイメージサイズのみによって表される擬似音符により表記される楽譜を作成する方法であって、
上記コンピュータが、
上記オリジナルイメージと上記イメージサイズ情報とに基づき、上記オリジナルイメージを、所定オクターブ分、上記イメージサイズに拡大乃至縮小して、所定オクターブ分のイメージサイズの符頭を生成する処理と、
上記基準情報に基づき、上記生成した符頭のうちの所定のイメージサイズの符頭に対して、所定の音階を対応付けると共に、当該対応付けた所定のイメージサイズに係る符頭を基準として、予め設定された音の高低とイメージサイズの大小関係に基づき、他のイメージサイズの符頭に順次、音階を対応付けることにより、符頭に対する音階の対応付けを実行する処理と、
上記符頭と当該符頭を配置する位置の指定入力要求を受け付ける処理と、
上記受け付けた指定入力要求に応じて、上記指定入力要求された符頭を当該符頭に対応付けられた音階の音階名と共に指定された位置に表示する処理と、を実行する、
ことを特徴とする楽譜作成方法。
【請求項４】
符頭を構成するオリジナルイメージを記憶する符頭記憶手段と、少なくとも、第ｎオクターブが、初項を１２×２（ｎ−１）、階差を２（ｎ−１）、初項を含む項数を１２とする一群のイメージサイズにより構成される、ｎオクターブ分のイメージサイズ情報と、所定の音階と所定のイメージサイズとの対応付けを示す基準情報とを記憶する設定情報記憶手段とを有するコンピュータを、音高が符頭のイメージサイズのみによって表される擬似音符により表記される楽譜を作成する楽譜作成装置として機能させるためのコンピュータプログラムであって、
上記コンピュータに対して、
上記オリジナルイメージと上記イメージサイズ情報とに基づき、上記オリジナルイメージを、所定オクターブ分、上記イメージサイズに拡大乃至縮小して、所定オクターブ分のイメージサイズの符頭を生成する処理と、
上記基準情報に基づき、上記生成した符頭のうちの所定のイメージサイズの符頭に対して、所定の音階を対応付けると共に、当該対応付けた所定のイメージサイズに係る符頭を基準として、予め設定された音の高低とイメージサイズの大小関係に基づき、他のイメージサイズの符頭に順次、音階を対応付けることにより、符頭に対する音階の対応付けを実行する処理と、
上記符頭と当該符頭を配置する位置の指定入力要求を受け付ける処理と、
上記受け付けた指定入力要求に応じて、上記指定入力要求された符頭を当該符頭に対応付けられた音階の音階名と共に指定された位置に表示する処理と、
を実行させるコンピュータプログラム。
【手続補正２】
【補正対象書類名】明細書
【補正対象項目名】０００７
【補正方法】変更
【補正の内容】
【０００７】
上記目的を達成するため、本発明の一の観点に係る楽譜作成装置は、音高が符頭のイメージサイズのみによって表される擬似音符により表記される楽譜を作成する装置であって、上記符頭を構成するオリジナルイメージを記憶する符頭記憶手段と、少なくとも、第ｎオクターブが、初項を１２×２（ｎ−１）、階差を２（ｎ−１）、初項を含む項数を１２とする一群のイメージサイズにより構成される、ｎオクターブ分のイメージサイズ情報と、所定の音階と所定のイメージサイズとの対応付けを示す基準情報とを記憶する設定情報記憶手段と、上記オリジナルイメージと上記イメージサイズ情報とに基づき、上記オリジナルイメージを、所定オクターブ分、上記イメージサイズに拡大乃至縮小して、所定オクターブ分のイメージサイズの符頭を生成する符頭生成手段と、上記基準情報に基づき、上記生成した符頭のうちの所定のイメージサイズの符頭に対して、所定の音階を対応付けると共に、当該対応付けた所定のイメージサイズに係る符頭を基準として、予め設定された音の高低とイメージサイズの大小関係に基づき、他のイメージサイズの符頭に順次、音階を対応付けることにより、符頭に対する音階の対応付けを実行する音階対応付手段と、上記符頭と当該符頭を配置する位置の指定入力要求を受け付ける入力要求処理手段と、上記受け付けた指定入力要求に応じて、上記指定入力要求された符頭を当該符頭に対応付けられた音階の音階名と共に指定された位置に表示する表示手段と、を有することを特徴とする。
【手続補正３】
【補正対象書類名】明細書
【補正対象項目名】０００８
【補正方法】変更
【補正の内容】
【０００８】
また、上記入力要求処理手段は、上記符頭の指定入力要求を受け付け、上記表示手段は、上記受け付けた指定入力要求に応じて、上記符頭を当該符頭に対応付けられた音階の音階名と共に指定入力要求された順番に表示するものとしてもよい。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
また、本発明の別の観点に係る楽譜作成方法は、符頭を構成するオリジナルイメージを記憶する符頭記憶手段と、少なくとも、第ｎオクターブが、初項を１２×２（ｎ−１）、階差を２（ｎ−１）、初項を含む項数を１２とする一群のイメージサイズにより構成される、ｎオクターブ分のイメージサイズ情報と、所定の音階と所定のイメージサイズとの対応付けを示す基準情報とを記憶する設定情報記憶手段とを有するコンピュータにより、音高が符頭のイメージサイズのみによって表される擬似音符により表記される楽譜を作成する方法であって、上記コンピュータが、上記オリジナルイメージと上記イメージサイズ情報とに基づき、上記オリジナルイメージを、所定オクターブ分、上記イメージサイズに拡大乃至縮小して、所定オクターブ分のイメージサイズの符頭を生成する処理と、上記基準情報に基づき、上記生成した符頭のうちの所定のイメージサイズの符頭に対して、所定の音階を対応付けると共に、当該対応付けた所定のイメージサイズに係る符頭を基準として、予め設定された音の高低とイメージサイズの大小関係に基づき、他のイメージサイズの符頭に順次、音階を対応付けることにより、符頭に対する音階の対応付けを実行する処理と、上記符頭と当該符頭を配置する位置の指定入力要求を受け付ける処理と、上記受け付けた指定入力要求に応じて、上記指定入力要求された符頭を当該符頭に対応付けられた音階の音階名と共に指定された位置に表示する処理と、を実行することを特徴とする。
【手続補正８】
【補正対象書類名】明細書
【補正対象項目名】００１３
【補正方法】変更
【補正の内容】
【００１３】
また、本発明の更に別の観点に係るコンピュータプログラムは、符頭を構成するオリジナルイメージを記憶する符頭記憶手段と、少なくとも、第ｎオクターブが、初項を１２×２（ｎ−１）、階差を２（ｎ−１）、初項を含む項数を１２とする一群のイメージサイズにより構成される、ｎオクターブ分のイメージサイズ情報と、所定の音階と所定のイメージサイズとの対応付けを示す基準情報とを記憶する設定情報記憶手段とを有するコンピュータを、音高が符頭のイメージサイズのみによって表される擬似音符により表記される楽譜を作成する楽譜作成装置として機能させるためのコンピュータプログラムであって、上記コンピュータに対して、上記オリジナルイメージと上記イメージサイズ情報とに基づき、上記オリジナルイメージを、所定オクターブ分、上記イメージサイズに拡大乃至縮小して、所定オクターブ分のイメージサイズの符頭を生成する処理と、上記基準情報に基づき、上記生成した符頭のうちの所定のイメージサイズの符頭に対して、所定の音階を対応付けると共に、当該対応付けた所定のイメージサイズに係る符頭を基準として、予め設定された音の高低とイメージサイズの大小関係に基づき、他のイメージサイズの符頭に順次、音階を対応付けることにより、符頭に対する音階の対応付けを実行する処理と、上記符頭と当該符頭を配置する位置の指定入力要求を受け付ける処理と、上記受け付けた指定入力要求に応じて、上記指定入力要求された符頭を当該符頭に対応付けられた音階の音階名と共に指定された位置に表示する処理とを実行させる。